(57)【要約】【課題】車載機器が搭載される車両の走行開始当初から適正な当該車載機器の傾斜角度を得ることのできる「車載機器の傾き検出装置」を提供することである。【解決手段】可動体に設けられた加速度センサ２０と、筐体１０１の所定方向に対する複数の傾斜角度のそれぞれと、可動体が当該傾斜角度で傾いた該筐体に対して第１の姿勢から第２の姿勢に変化する際における加速度センサから出力される検出値の変化量との関係を表す検出加速度特性情報を予め記憶した記憶部１４と、前記検出加速度特性情報において、可動体が前記第１の姿勢であるときに前記加速度センサから出力される第１検出値Ｖ（close）から、前記可動体が前記第２の姿勢であるときに前記加速度センサから出力される第２検出値Ｖ（open）への変化量ΔＶに対応する傾斜角度θに基づいて当該車載機器の傾きを決める傾き決定手段（Ｓ１２〜Ｓ１７）とを有する構成となる。【選択図】図６
2014134432.tif 000002
【特許請求の範囲】
【請求項１】
筐体と、重力方向に対する姿勢が変化し得るように前記筐体に取り付けられた可動体とを有する車載機器の車両に搭載された状態での傾きを検出する傾き検出装置であって、
前記可動体に設けられた加速度センサと、
前記筐体の所定方向に対する複数の傾斜角度のそれぞれと、前記可動体が当該傾斜角度で傾いた該筐体に対して第１の姿勢から該第１の姿勢と異なる第２の姿勢に変化する際における前記加速度センサから出力される検出値の変化量との関係を表す検出加速度特性情報を予め記憶した記憶部と、
当該車載機器の搭載された車両が停止している状態で、前記可動体が前記第１の姿勢であるときに前記加速度センサから出力される第１検出値を取得する第１検出値取得手段と、
当該車載機器の搭載された車両が停止している状態で、前記可動体が前記第２の姿勢であるときに前記加速度センサから出力される第２検出値を取得する第２検出値取得手段と、
前記記憶部に記憶された前記検出加速度特性情報において、取得された前記第１検出値から取得された前記第２検出値への変化量に対応する傾斜角度に基づいて当該車載機器の傾きを決める傾き決定手段とを有する車載機器の傾き検出装置。
【請求項２】
前記傾き決定手段は、前記検出加速度特性情報において、前記第１検出値から前記第２検出値への変化量に最も近い変化量に対応する傾斜角度に基づいて当該車載機器の傾きを決める請求項１記載の車載機器の傾き検出装置。
【請求項３】
前記可動体は、前記筐体の前面を覆う閉鎖姿勢と、前記筐体の前記前面を開放する開放姿勢との間で動く表示パネルユニットである請求項１または２に記載の車載機器の傾き検出装置。
【請求項４】
前記可動体の前記第１の姿勢は、前記表示パネルユニットの前記閉鎖姿勢であり、
前記可動体の前記第２の姿勢は、前記表示パネルユニットの前記開放姿勢である請求項３記載の車載機器の傾き検出装置。
【請求項５】
前記車載機器での車両ナビゲーション処理に用いられる車両の加速度を検出するための加速度センサを、前記加速度センサとして用いる請求項１乃至４のいずれかに記載の車載機器の傾き検出装置。
【請求項６】
筐体と、重力方向に対する姿勢が変化し得るように前記筐体に取り付けられた可動体とを有する車載機器の車両に搭載された状態での傾きを検出する傾き検出方法であって、
前記可動体に設けられた加速度センサと、
前記筐体の所定方向に対する複数の傾斜角度のそれぞれと、前記可動体が当該傾斜角度で傾いた該筐体に対して第１の姿勢から該第１の姿勢と異なる第２の姿勢に変化する際における前記加速度センサから出力される検出値の変化量との関係を表す検出加速度特性情報を予め記憶した記憶部とを用い、
当該車載機器の搭載された車両が停止している状態で、前記可動体が前記第１の姿勢であるときに前記加速度センサから出力される第１検出値を取得する第１検出値取得ステップと、
当該車載機器の搭載された車両が停止している状態で、前記可動体が前記第２の姿勢であるときに前記加速度センサから出力される第２検出値を取得する第２検出値取得ステップと、
前記記憶部に記憶された前記検出加速度特性情報において、取得された前記第１検出値から取得された前記第２検出値への変化量に対応した傾斜角度に基づいて当該車載機器の傾きを決める傾き決定ステップとを有する車載機器の傾き検出方法。
【請求項７】
筐体と、重力方向に対する姿勢が変化し得るように前記筐体に取り付けられた可動体と、車両ナビゲーション処理に用いられる加速度を検出するための加速度センサとを有する車載機器であって、
前記加速度センサは、前記可動体に設けられ、
前記筐体の所定方向に対する複数の傾斜角度のそれぞれと、前記可動体が当該傾斜角度で傾いた該筐体に対して第１の姿勢から該第１の姿勢と異なる第２の姿勢に変化する際における前記加速度センサから出力される検出値の変化量との関係を表す検出加速度特性情報を予め記憶した記憶部と、
当該車載機器の搭載された車両が停止している状態で、前記可動体が前記第１の姿勢であるときに前記加速度センサから出力される第１検出値を取得する第１検出値取得手段と、
当該車載機器の搭載された車両が停止している状態で、前記可動体が前記第２の姿勢であるときに前記加速度センサから出力される第２検出値を取得する第２検出値取得手段と、
前記記憶部に記憶された前記検出加速度特性情報において、取得された前記第１検出値から取得された前記第２検出値への変化量に対応した傾斜角度に基づいて当該車載機器の傾きを決める傾き決定手段とを有し、
前記加速度センサからの検出値とともに前記傾き決定手段にて決められた当該車載機器の傾きに係る情報を用いて前記車両ナビゲーション処理を行う車載機器。
【発明の詳細な説明】
【技術分野】
【０００１】
本発明は、車載機器の車両に搭載された状態での傾きを検出する車載機器の傾き検出装置、その方法及び該傾き検出装置を備えた車載機器に関する。
【背景技術】
【０００２】
現在使用されているナビゲーション装置の多くは、加速度センサ及びジャイロセンサを備えている。これら加速度センサ及びジャイロセンサの感度は、物理量（加速度、旋回角度）を検出する仕組みから、車両に搭載された状態のナビゲーション装置の取付け角度（傾斜角度）に応じて出力感度特性が変化する。このため、車両に搭載されるナビゲーション装置では、その傾き角度を検出することが、車両の加速度や旋回角度を精度良く検出するため、即ち、精度の良い車両のナビゲーションを実現するうえで、重要である。
【０００３】
そこで、取り付け角度（傾斜角度）を検出する機能を有するナビゲーション装置として、従来、特許文献１に記載のナビゲーション装置が知られている。このナビゲーション装置では、３軸方向での加速度を検出する加速度センサが車両走行中に検出した加速度の２つの軸についての方向の２つの加速度が取得され、それら２つの加速度の絶対値の比率及び加速度の極性により、当該ナビゲーション装置の取付け角度が算出される。これにより、ナビゲーション装置の取付け角度を実際に測定することなく、加速度センサでの検出値に基づいて当該ナビゲーション装置の取付け角度を検出することができる。
【先行技術文献】
【特許文献】
【０００４】
【特許文献１】特開２０１１−４３３４２号公報
【発明の概要】
【発明が解決しようとする課題】
【０００５】
しかしながら、前述した従来のナビゲーション装置でなされる取付け角度の検出手法では、当該ナビゲーション装置が搭載される車両の走行中において検出される加速度に基づいてその取付け角度（傾斜角度）が算出されることから、車両の走行開始から当該ナビゲーション装置の取付け角度を得ることができない。その結果、車両の走行開始当初から適正な車両のナビゲーションができない。
【０００６】
本発明は、このような事情に鑑みてなされたもので、車載機器が搭載される車両の走行開始当初から適正な当該車載機器の傾斜角度を得ることのできる車載機器の傾き検出装置、傾き検出方法及び当該車載機器を提供するものである。
【課題を解決するための手段】
【０００７】
本発明に係る車載機器の傾き検出装置は、筐体と、重力方向に対する姿勢が変化し得るように前記筐体に取り付けられた可動体とを有する車載機器の車両に搭載された状態での傾きを検出する傾き検出装置であって、前記可動体に設けられた加速度センサと、前記筐体の所定方向に対する複数の傾斜角度のそれぞれと、前記可動体が当該傾斜角度で傾いた該筐体に対して第１の姿勢から該第１の姿勢と異なる第２の姿勢に変化する際における前記加速度センサから出力される検出値の変化量との関係を表す検出加速度特性情報を予め記憶した記憶部と、当該車載機器の搭載された車両が停止している状態で、前記可動体が前記第１の姿勢であるときに前記加速度センサから出力される第１検出値を取得する第１検出値取得手段と、当該車載機器の搭載された車両が停止している状態で、前記可動体が前記第２の姿勢であるときに前記加速度センサから出力される第２検出値を取得する第２検出値取得手段と、前記記憶部に記憶された前記検出加速度特性情報において、取得された前記第１検出値から取得された前記第２検出値への変化量に対応する傾斜角度に基づいて当該車載機器の傾きを決める傾き決定手段とを有する構成となる。
【０００８】
このような構成により、記憶部に予め記憶された、筐体の所定方向に対する複数の傾斜角度それぞれと、可動体が当該傾斜角度で傾いた該筐体に対して第１の姿勢から第２の姿勢に変化する際における加速度センサから出力される検出値の変化量との関係を表す検出加速度特性情報において、当該車載機器の搭載された車両が停止している状態で、前記可動体が前記第１の姿勢にあるときに当該可動体に設けられた加速度センサから出力される第１検出値から、同様に車両が停止している状態で、前記可動体が第２の姿勢にあるときに前記加速度センサから出力される第２検出値への変化量に対応する傾斜角度に基づいて当該車載機器の傾きが決められる。
【０００９】
本発明に係る車載機器の傾き検出装置において、前記傾き決定手段は、前記検出加速度特性情報において、前記第１検出値から前記第２検出値への変化量に最も近い変化量に対応する傾斜角度に基づいて当該車載機器の傾きとして決める構成とすることができる。
【００１０】
このような構成により、記憶部に予め記憶された、前記筐体の所定方向に対する複数の傾斜角度それぞれと、前記可動体が当該傾斜角度で傾いた該筐体に対して第１の姿勢から第２の姿勢に変化する際における前記加速度センサから出力される検出値の変化量との関係を表す検出加速度特性情報において、当該車載機器の搭載された車両が停止している状態で、前記可動体が前記第１の姿勢にあるときに当該可動体に設けられた加速度センサから出力される第１検出値から、同様に車両が停止している状態で、前記可動体が第２の姿勢にあるときに前記加速度センサから出力される第２検出値への変化量に最も近い変化量に対応する傾斜角度に基づいて当該車載機器の傾きが決められる。
【００１１】
本発明に係る車載機器の傾き検出装置において、前記可動体は、前記筐体の前面を覆う閉鎖姿勢と、前記筐体の前記前面を開放する開放姿勢との間で動く表示パネルユニットである構成とすることができる。
【００１２】
このような構成により、表示パネルユニットが閉鎖姿勢と開放姿勢との間で決められた第１の姿勢にあるときに表示パネルユニットに設けられた加速度センサから出力される第１検出値から前記表示パネルが前記閉鎖姿勢と開放姿勢の間で決められた第２の姿勢への変化量に基づいて、当該車載機器の傾きが決められる。
【００１３】
また、本発明に係る車載機器の傾き検出装置において、前記可動体の前記第１の姿勢は、前記表示パネルユニットの前記閉鎖姿勢であり、前記可動体の前記第２の姿勢は、前記表示パネルユニットの前記開放姿勢である構成とすることができる。
【００１４】
このような構成により、表示パネルユニットが閉鎖姿勢にあるときに表示パネルユニットに設けられた加速度センサから出力される第１検出値から前記表示パネルが開放姿勢にあるときに前記加速度センサから出力される第２検出値への変化量に基づいて、当該車載機器の傾きが決められる。
【００１５】
本発明に係る車載機器の傾き検出装置において、前記車載機器での車両ナビゲーション処理に用いられる車両の加速度を検出するための加速度センサを、前記加速度センサとして用いる構成とすることができる。
【００１６】
このような構成により、加速度センサを車載機器の傾き検出と、ナビゲーション処理とで共用することになるので、全体としての部品点数を削減することができる。
【００１７】
また、本発明に係る車載機器の傾き検出方法は、筐体と、重力方向に対する姿勢が変化し得るように前記筐体に取り付けられた可動体とを有する車載機器の車両に搭載された状態での傾きを検出する傾き検出方法であって、前記可動体に設けられた加速度センサと、前記筐体の所定方向に対する複数の傾斜角度のそれぞれと、前記可動体が当該傾斜角度で傾いた該筐体に対して第１の姿勢から該第１の姿勢と異なる第２の姿勢に変化する際における前記加速度センサから出力される検出値の変化量との関係を表す検出加速度特性情報を予め記憶した記憶部とを用い、当該車載機器の搭載された車両が停止している状態で、前記可動体が前記第１の姿勢であるときに前記加速度センサから出力される第１検出値を取得する第１検出値取得ステップと、当該車載機器の搭載された車両が停止している状態で、前記可動体が前記第２の姿勢であるときに前記加速度センサから出力される第２検出値を取得する第２検出値取得ステップと、前記記憶部に記憶された前記検出加速度特性情報において、取得された前記第１検出値から取得された前記第２検出値への変化量に対応した傾斜角度に基づいて当該車載機器の傾きを決める傾き決定ステップとを有する構成となる。
【００１８】
更に、本発明に係る車載機器は、筐体と、重力方向に対する姿勢が変化し得るように前記筐体に取り付けられた可動体と、車両ナビゲーション処理に用いられる加速度を検出するための加速度センサとを有する車載機器であって、前記加速度センサは、前記可動体に設けられ、前記筐体の所定方向に対する複数の傾斜角度のそれぞれと、前記可動体が当該傾斜角度で傾いた該筐体に対して第１の姿勢から該第１の姿勢と異なる第２の姿勢に変化する際における前記加速度センサから出力される検出値の変化量との関係を表す検出加速度特性情報を予め記憶した記憶部と、当該車載機器の搭載された車両が停止している状態で、前記可動体が前記第１の姿勢であるときに前記加速度センサから出力される第１検出値を取得する第１検出値取得手段と、当該車載機器の搭載された車両が停止している状態で、前記可動体が前記第２の姿勢であるときに前記加速度センサから出力される第２検出値を取得する第２検出値取得手段と、前記記憶部に記憶された前記検出加速度特性情報において、取得された前記第１検出値から取得された前記第２検出値への変化量に対応した傾斜角度に基づいて当該車載機器の傾きを決める傾き決定手段とを有し、前記加速度センサからの検出値とともに前記傾き決定手段にて決められた当該車載機器の傾きに係る情報を用いて前記車両ナビゲーション処理を行う構成となる。
【発明の効果】
【００１９】
本発明に係る車載機器の傾き検出装置及び方法によれば、記憶部に予め記憶された検出加速度特性情報において、当該車載機器の搭載された車両が停止している状態で、前記可動体が前記第１の姿勢にあるときに当該可動体に設けられた加速度センサから出力される第１検出値から、同様に車両が停止している状態で、前記可動体が第２の姿勢にあるときに前記加速度センサから出力される第２検出値への変化量に対応する傾斜角度に基づいて当該車載機器の傾きが決められるので、当該車載機器を搭載した車両の走行開始当初から適正な当該車載機器の傾斜角度を得ることができる。
【００２０】
また、本発明に係る車載機器によれば、前記傾き検出装置により、車両の走行開始当初から適正な当該車載機器の傾斜角度を得ることができるので、車両の走行開始当初から適正な車両のナビゲーションができる。
【図面の簡単な説明】
【００２１】
【図１】本発明の実施の形態に係る車載機器（傾き検出装置を含む）の構成を示すブロック図である。
【図２】車両に搭載された車載機器の、表示パネルユニットが閉鎖姿勢にある状態を示す図である。
【図３】車両に搭載された車載機器の、表示パネルユニットが開放姿勢にある状態を示す図である。
【図４】傾斜角度と加速度センサの重力加速度勾配成分との関係を示す図である。
【図５】検出加速度特性テーブルの構成例を示す図である。
【図６】処理ユニットによる車載機器（筐体）の取り付け角度（傾斜角度）を検出するための処理の手順を示すフローチャートである。
【発明を実施するための形態】
【００２２】
本発明の実施の形態について図面を用いて説明する。
【００２３】
本発明の実施の一形態に係る車載機器（傾き検出装置を含む）は、図１に示すように構成される。
【００２４】
図１において、この車載機器１００は、コンピュータユニット（例えば、ＣＰＵを含む）によって構成される処理ユニット１１を有している。図１において、この車載機器１００は、コンピュータユニット（例えば、ＣＰＵを含む）によって構成される処理ユニット１１を有している。処理ユニット１１には、各種音源及び映像源（例えば、ＣＤ、ＤＶＤ等）の再生処理が可能なＡＶユニット１７、及び自車両のルート案内等のナビゲーション処理を行うナビゲーションユニット１８が接続されている。また、処理ユニット１１には、ジャイロセンサ１９及び加速度センサ２０が接続されており、処理ユニット１１は、ジャイロセンサ１９からの検出信号に基づいて車両の旋回角度を表す角度情報を生成し、加速度センサ２０からの検出信号に基づいて車両の加速度（重力加速度を含む）を表す加速度情報を生成し、それら角度情報及び加速度情報をナビゲーションユニット１８に提供する。ナビゲーションユニット１８は、処理ユニット１１から提供される地図情報、前記角度情報、前記加速度情報、車速情報（処理ユニット１１が別途生成して提供する）等の各種情報に基づいて経路案内等のナビゲーション処理を実行する。
【００２５】
また、処理ユニット１１には、スピーカ１６が接続される出力回路１５が接続されており、処理ユニット１１の制御のもと、ＡＶユニット１７及びナビゲーションユニット１８の処理に基づいた音声信号が出力回路１５を介してスピーカ１６に供給され、前記音声信号に応じた音がスピーカ１６から出力される。更に、処理ユニット１１には、ＡＶユニット１７及びナビゲーションユニット１８にて利用される楽曲情報や地図情報等の各種情報が記憶される記憶部１４（例えば、ハードディスク）と、ＬＣＤ等によって構成され、映像等の各種情報を表示する表示部１３と、表示部１３上のタッチパネルや操作ボタン等にて構成され、処理に対する指示や各種情報を入力するために用いられる操作部１２とが接続されている。
【００２６】
上述した車載機器１００は、図２及び図３に示すように車両の所定部位、例えば、ダッシュボード内に取り付けられている。
【００２７】
図２及び図３において、車載機器１００の筐体１０１が、車両の水平方向Ｈｖに対してある傾斜角度θをもって傾く取付け面Ｓに固定される。これにより、車載機器１００が車両に取り付けられた状態で、筐体１０１は、車両の水平方向Ｈｖに対して傾斜角度θの傾きをもつ。筐体１０１内には、各種電子部品とともにジャイロセンサ１９が設けられている。ジャイロセンサ１９は、筐体１０１の垂直方向（縦方向）Ｖｈに延びる検出軸Ａｘ回りの旋回角度に対応した検出信号を出力する。筐体１０１の前部には表示パネルユニット１０３（可動体）が設けられている。表示パネルユニット１０３は、図３に示すように、筐体１０１の前面下部から突出する駆動バー１０２の進退動によって、図２に示すように筐体１０１の前面を覆う閉鎖姿勢と図３に示すように筐体１０１の前面を開放する開放姿勢との間で、筐体１０１に対する角度θａ（図３参照）を変えつつ（重力方向に対する姿勢が変化するように）移動する。そして、表示パネルユニット１０３は、表示部１３を含んでおり、閉鎖姿勢（図２参照）において表示部１３の表示画面が前方（車室内の方向）を向くようになっている。
【００２８】
また、表示パネルユニット１０３内には加速度センサ２０が設けられている。表示パネルユニット１０３が、閉鎖姿勢（図２参照）と開放姿勢（図３参照）との間で、重力方向に対する姿勢が変化するように移動する際に、表示パネルユニット１０３に設けられた加速度センサ２０に対する重力加速度の作用する方向が変化して、加速度センサ２０から出力される検出値が変化する。更に、筐体１０１の取付け角度（傾斜角度）θによっても加速度センサ２０に対する重力加速度の作用する方向が変化する。例えば、図４に示すように、加速度センサ２０の出力値は、重力加速度に対してリニアな特性となるが、傾斜角度に対してはリニアな特性ではない。
【００２９】
例えば、車載機器１００の開発時点あるいは製品検査時点において、図５に示すような検出加速度特性テーブルを記憶部１４に記憶させる。この検出加速度特性テーブルは、筐体１０１の車両の水平方向Ｈｖに対する、例えば、１度間隔の複数の傾斜角度θのそれぞれと、表示パネルユニット１０３が当該傾斜角度で傾いた筐体１０１に対して閉鎖姿勢（第１の姿勢：図２参照）から開放姿勢（第２の姿勢：図３参照）に変化する際における加速度センサ２０から出力される検出値（Ｖ（close）→Ｖ（open））の変化量ΔＶ（＝Ｖ（close）−Ｖ（open）)との関係（検出加速度特性情報）を表す。
【００３０】
図５に示す検出加速度特性テーブルは、筐体１０１が傾斜角度θ＝１９°となる状態では、表示パネルユニット１０３が閉鎖姿勢から開放姿勢に変化する際に加速度センサ２０から出力される検出値（Ｖ（close）→Ｖ（open））の変化量ΔＶ（＝Ｖ（close）−Ｖ（open）)が５４９ｍｖであることを示し、筐体１０１が傾斜角度θ＝２０°となる状態では、表示パネルユニット１０３が閉鎖姿勢から開放姿勢に変化する際に加速度センサ２０から出力される検出値（Ｖ（close）→Ｖ（open））の変化量ΔＶ（＝Ｖ（close）−Ｖ（open）)が５２４ｍｖであることを示し、更に、筐体１０１が傾斜角度θ＝２１°となる状態では、表示パネルユニット１０３が閉鎖姿勢から開放姿勢に変化する際に加速度センサ２０から出力される検出値（Ｖ（close）→Ｖ（open））の変化量ΔＶ（＝Ｖ（close）−Ｖ（open）)が４９９ｍｖであることを示す。
【００３１】
なお、前記検出加速度特性テーブルは、実際に筐体１０１、表示パネルユニット１０３及び加速度センサ２０を組み付けた状態（図２及び図３参照）で、加速度センサ２０の検出値を測定することによって作成するものであっても、筐体１０１の各傾斜角度θ、表示パネルユニット１０３の閉鎖姿勢及び開放姿勢を考慮して、加速度センサ２０を水平方向Ｖｈに対して傾斜させて検出値の変化量を測定することによって作成するものであっても、また、実際に測定することなく、コンピュータ上でのシミュレーションにより作成することもできる。
【００３２】
上記のようにして検出加速度特性テーブル（図５参照）が記憶された記憶部１４を備える車載機器１００が実際に取り付けられた車両において、車載機器１００の電源がオンされると、処理ユニット１１は、図６に示す手順に従って車載機器１００（筐体１０１）の車両の水平方向Ｈｖに対する傾斜角度θを検出する。
【００３３】
図６において、処理ユニット１１は、車両が停止しているか否かを判定し（Ｓ１１）、車両が停止している状態であると（Ｓ１１でＹＥＳ）、表示パネルユニット１０３が閉鎖姿勢（図２参照）であるか否かを判定する（Ｓ１２）。表示パネルユニット１０３が閉鎖姿勢であると（Ｓ１２でＹＥＳ）、処理ユニット１１は、加速度センサ２０から出力される検出値Ｖ（close）（第１検出値）を取得する（Ｓ１３）。その後、処理ユニット１１は、表示パネルユニット１０３が開放姿勢（図３参照）であるか否かを判定する（Ｓ１３）。この状態で、利用者（乗員）の操作部１２での操作によって表示パネルユニット１０３が移動して開放姿勢（図３参照）になると（Ｓ１４でＹＥＳ）、処理ユニット１１は、加速度センサ２０から出力される検出値Ｖ（open）（第２検出値）を取得する（Ｓ１５）。
【００３４】
そして、処理ユニット１１は、表示パネルユニット１０３が閉鎖姿勢（図２参照）となる際に加速度センサ２０から出力された検出値Ｖ（close）と、表示パネルユニット１０３が開放姿勢（図３参照）となる際に加速度センサ２０から出力された検出値Ｖ（open）との差を、表示パネルユニット１０３が閉鎖姿勢から開放姿勢に変化する際に加速度センサ２０から出力される検出値（Ｖ（close）→Ｖ（open））の変化量ΔＶとして、演算する（Ｓ１６）。処理ユニット１１は、その変化量ΔＶを演算すると、記憶部１４に記憶されている検出加速度特性テーブル（図５参照）を参照して、演算にて得られた変化量ΔＶに対応する傾斜角度θを取得する（Ｓ１７）。このように取得された傾斜角度θが車載機器１００（筐体１０１）の傾きを表す情報として決定される。
【００３５】
実際に取得された加速度センサ２０からの検出値（Ｖ（close）→Ｖ（open））の変化量ΔＶ（Ｖ（close）−Ｖ（open））が、５０１ｍＶであれば、図５に示す検出加速度特性テーブルにおいて、この変化量ΔＶ＝５０１ｍＶに最も近い変化量ΔＶ＝４９９ｍＶに対応した傾斜角度θ＝２１°が車両に取り付けられた車載機器１００（筐体１０１）の傾きを表す情報として決定される。
【００３６】
処理ユニット１１は、得られた傾斜角度θを、ナビゲーションユニット１８にて実行されるナビゲーション処理に渡す。これにより、ナビゲーションユニット１８は、処理ユニット１１を介して提供される、地図情報、ジャイロセンサ１９の検出信号に基づいた角度情報、加速度センサ２０の検出信号に基づいた加速度情報、車速情報、更に、車載機器１００（筐体１０１）の傾斜角度θに係る情報に基づいて、自車両の現在位置、走行方向等を演算して、経路案内等のナビゲーション処理を実行する。
【００３７】
上述したような車載機器１００（傾き検出装置）では、記憶部１４に予め記憶された検出加速度特性テーブル（図５参照）において、車載機器１００の搭載された車両が停止している状態で、表示パネルユニット１０３が閉鎖姿勢（第１の姿勢）にあるときに表示パネルユニット１０３に設けられた加速度センサ２０から出力される検出値Ｖ（close）から、同様に車両が停止している状態で、表示パネルユニット１０３が開放姿勢（第２の姿勢）にあるときに加速度センサ２０から出力される検出値Ｖ（open）への変化量ΔＶに対応する傾斜角度θに基づいて車載機器１００（筐体１０１）の傾きが決められるので、車載機器１００を搭載した車両の走行開始当初から適正な車載機器１００の傾斜角度θを得ることができる。その結果、車両の走行開始当初から適正なナビゲーション処理を行うことができる。
【００３８】
また、表示パネルユニット１０３が閉鎖姿勢から開放姿勢に変化する際に表示パネルユニット１０３に設けられた加速度センサ２０から出力される検出値の変化量Δに基づいて傾斜角度θを決定するようにしているので、加速度センサ２０のゼロ点が変動しても、その影響を受け難く、より精度良く傾斜角度θを決めることができる。
【００３９】
なお、上述した例では、検出加速度特性テーブル（図５参照）において、実際に得られた加速度センサ２０の検出値の変化量ΔＶ（Ｖ（close）−Ｖ（open））に最も近い変化量ΔＶに対応する傾斜角度θを車載機器１００（筐体１０１）の傾きを表す情報として決めたが、その決め方はこれに限られない。例えば、実際に得られた検出値の変化量ΔＶと、検出加速特性テーブルにおいて、それを挟む２つの変化量ΔＶとの関係に基づいた補間処理によって、対応する傾斜角度θを求めるようにしてもよい。
【００４０】
検出加速度テーブルを作成する際、及び実際に傾斜角度を決定する際における、表示パネルユニット１０３（加速度センサ２０）の２つの姿勢は、閉鎖姿勢（図２参照）及び開放姿勢（図３参照）に限定されない。それら２つの姿勢は、開放姿勢と閉鎖姿勢との間の任意の２つの姿勢とすることができる。
【００４１】
加速度センサ２０が設けられる可動体は、表示パネルユニット１０３に限定されない。筐体１０１に対して重力方向に対する姿勢が変化し得るように取り付けられるものであればよい。
【産業上の利用可能性】
【００４２】
以上、説明したように、本発明に係る車載機器の傾き検出装置及び車載機器の傾き検出方法は、車載機器が搭載される車両の走行開始当初から適正な当該車載機器の傾斜角度を得ることができるという効果を有し、車載機器の車両に搭載された状態での傾きを検出する車載機器の傾き検出装置及び車載機器の傾き検出方法として有用である。
【符号の説明】
【００４３】
１１  処理ユニット
１２  操作部
１３  表示部
１４  記憶部
１５  出力回路
１６  スピーカ
１７  ＡＶユニット
１８  ナビゲーションユニット
１９  ジャイロセンサ
２０  加速度センサ
１００  車載機器
【図１】
2014134432.tif 000003
【図２】
2014134432.tif 000004
【図３】
2014134432.tif 000005
【図４】
2014134432.tif 000006
【図５】
2014134432.tif 000007
【図６】
2014134432.tif 000008